(57)【要約】      （修正有）【課題】圧縮状態の圧縮コイルばねを係止するばね収納筒先端の係止部の強度に優れたくくり罠を提供する。【解決手段】くくりワイヤー２が筒内に挿通され、圧縮コイルばね５が圧縮されて収納されるばね収納筒６と、くくりワイヤーが筒内に挿通され、圧縮コイルばねの先端から付勢されることによりくくり輪４を縮径する移動筒７と、を備え、移動筒はロックピン３０を有し、圧縮コイルばねが圧縮された状態でばね収納筒内に挿入して、ロック溝３１により係止可能とする。ばね収納筒の先端の係止部の肉厚を大きくできるので強度が向上する。【選択図】図２
0003210767.tif 000002
【実用新案登録請求の範囲】
【請求項１】
先端部にくくり輪が形成されるくくりワイヤーと、
前記くくりワイヤーがコイル内部に挿通される圧縮コイルばねと、を備え、
前記くくり輪の中に獣の体の一部を入れ、前記圧縮コイルばねの弾発力により前記くくり輪を縮径することで獣を捕獲するくくり罠であって、
前記くくりワイヤーが筒内に挿通され、前記圧縮コイルばねが圧縮されて収納されるばね収納筒と、
前記くくりワイヤーが筒内に挿通され、前記圧縮コイルばねの先端から付勢されることにより前記くくり輪を縮径する移動筒と、を備え、
前記移動筒は、前記圧縮コイルばねが圧縮された状態で前記ばね収納筒内に挿入可能なことを特徴とするくくり罠。
【請求項２】
前記移動筒は、筒の外径方向に突出するロックピンを備え、
前記ばね収納筒は、前記ロックピンが係合するロック溝を備え、
前記ロックピンが前記ロック溝に係合することで、前記ばね収納筒内に収納された前記圧縮コイルばねの圧縮状態が維持されることを特徴とする、請求項１に記載されたくくり罠。
【請求項３】
前記ロック溝は、前記ばね収納筒の先端から筒の長手方向に形成された長手方向溝と、当該長手方向溝の略中央部から筒の円周方向に形成された円周方向溝と、を備え、
前記ロックピンが前記長手方向溝に沿って移動したのち、前記ロックピンが前記円周方向溝に移動し前記円周方向溝と係合することを特徴とする、請求項２に記載されたくくり罠。
【請求項４】
くくり輪セット器に前記くくり輪をセットした後に、前記ロック溝に対する前記ロックピンの係合を解除することを特徴とする、請求項２又は３に記載されたくくり罠。
【請求項５】
前記ばね収納筒の後端近傍で筒の内径方向に突出する固定ピンにより前記圧縮コイルばねの後端が前記ばね収納筒に対し固定されることを特徴とする、請求項１から４に記載されたくくり罠。
【考案の詳細な説明】
【技術分野】
【０００１】
本考案は、獣類を捕獲するくくり罠に関する。
【背景技術】
【０００２】
猪、鹿等の獣類を捕獲する罠としてくくり罠が従来から使用されている。
くくり罠は、先端にくくり輪が形成されるくくりワイヤーと、コイル内部にくくりワイヤーが挿通される圧縮コイルばねを備えている。そして、くくり輪の中に獣の体の一部を入れ、圧縮コイルばねの弾発力によりくくり輪を縮径することで獣を捕獲するようになっている。
【０００３】
このくくり罠を仕掛けるためには、くくり輪セット器が組み合わされて使用される。くくり罠のくくり輪が拡径された状態を維持しつつ、圧縮コイルばねが圧縮された状態でくくり罠のくくり輪をくくり輪セット器にセットする。そして、獣がくくり輪セット器の踏板を踏むとくくり輪がくくり輪セット器から外れ、圧縮コイルばねの弾発力で急激にくくり輪が縮径され獣の足を緊縛することで獣を捕獲する。
ところが、くくり罠に使用される圧縮コイルばねは非常に強力であり、くくり罠を仕掛ける山林のけもの道でくくり罠をくくり輪セット器にセットするのは経験が必要な作業であり、危険も伴うものでもあった。
【０００４】
そこで、くくり輪をくくり輪セット器にセットするのとは関係なく、事前に圧縮コイルばねを圧縮した状態に維持できるくくり罠が提案されている（特許文献１）。
特許文献１に記載されたくくり罠は、圧縮した圧縮コイルばねをばね収納筒内に収納した状態で圧縮コイルばねの先端が当接するキャップパイプをばね収納筒にかぶせ、キャップパイプの内側に向け突出した凸部をばね収納筒の係止溝に係止できるようになっている。
【０００５】
そのため、特許文献１記載のくくり罠は、圧縮コイルばねを事前に圧縮した状態にしておくことができる。そして、くくり罠を仕掛ける山林のけもの道に着いてからくくり罠とくくり輪セット器とを組み合わせ、キャップパイプの凸部とばね収納筒の係止溝との係止を解除することでくくり罠を仕掛けることができる。
【先行技術文献】
【特許文献】
【０００６】
【特許文献１】実用新案登録第３１７７９３５号公報
【考案の概要】
【考案が解決しようとする課題】
【０００７】
ところが、特許文献１記載のくくり罠は、圧縮コイルばねの先端が当接するキャップパイプがばね収納筒にかぶさった状態となるものであるため、キャップパイプがかぶさる部分のばね収納筒の外径を大きくすることができなかった。
その結果、係止溝を形成するばね収納筒の先端の肉厚を厚くできないため、ばね収納筒先端の係止部の強度が十分でなかった。
捕獲された獣は逃げようと暴れるため、ばね収納筒が周囲の地面や石に衝突して破損する恐れがあった。また、捕獲された獣が強力な牙でばね収納筒を噛むことで、破損することもあった。
【０００８】
また、特許文献１記載のくくり罠は、圧縮コイルばねの後端とばね収納筒が固定されていないため、ばね収納筒に収納された圧縮コイルばね全体がばね収納筒から飛び出してしまうことがあった。そのため、圧縮コイルばねを圧縮してくくり罠を仕掛けようとする時に、再度圧縮コイルばねの後端をばね収納筒に挿入し直す必要があった。
【０００９】
そこで本考案は、圧縮コイルばねを圧縮状態で係止するばね収納筒先端の係止部の強度に優れたくくり罠を提供することを目的とする。
さらに、ばね収納筒に収納された圧縮コイルばね全体がばね収納筒から飛び出すことがないくくり罠を提供することも目的とする。
【課題を解決するための手段】
【００１０】
第１の考案は、先端にくくり輪が形成されるくくりワイヤーと、くくりワイヤーがコイル内部に挿通される圧縮コイルばねと、を備え、くくり輪の中に獣の体の一部を入れ、圧縮コイルばねの弾発力によりくくり輪を縮径することで獣を捕獲するくくり罠であって、くくりワイヤーが筒内に挿通され、圧縮コイルばねが圧縮されて収納されるばね収納筒と、くくりワイヤーが筒内に挿通され、圧縮コイルばねの先端から付勢されることによりくくり輪を縮径する移動筒と、を備え、その移動筒は、圧縮コイルばねが圧縮された状態でばね収納筒内に挿入可能なことを特徴とする。
【００１１】
第１の考案では、移動筒が、圧縮コイルばねが圧縮された状態でばね収納筒内に挿入されるので、ばね収納筒の外径寸法が制限されない。そのため、ばね収納筒の先端の係止部の肉厚を大きくできるので、その強度を向上させることができる。
【００１２】
さらに、第２の考案は、移動筒は、筒の外径方向に突出するロックピンを備え、ばね収納筒は、ロックピンが係合するロック溝を備え、ロックピンがロック溝に係合することで、ばね収納筒内に収納された圧縮コイルばねの圧縮状態が維持されることを特徴とする。
【００１３】
第２の考案では、移動筒の外径方向にロックピンが突出しており、そのロックピンがばね収納筒の内径側からロック溝に係合するようになっているので、ロック溝が形成されるばね収納筒の外径寸法が制限されず、その肉厚を大きくすることができる。そのため、ばね収納筒の強度を向上させることができる。
【００１４】
第３の考案では、ロック溝は、ばね収納筒の先端から筒の長手方向に形成された長手方向溝と、長手方向溝の略中央部から筒の円周方向に形成された円周方向溝と、を備え、ロックピンが長手方向溝に沿って移動したのち、ロックピンが円周方向溝に移動し円周方向溝と係合することを特徴とする。
【００１５】
第３の考案では、ロックピンが長手方向溝に沿って移動したのち、ロックピンが長手方向溝の略中央部に形成された円周方向溝に沿って移動し円周方向溝と係合するので、圧縮コイルばねが長手方向溝の長さで決まる所定寸法だけ圧縮される状態が一度作られる。そその圧縮動作により、圧縮コイルばねの変形が矯正される。そのため圧縮コイルばねの弾発力が維持されるので確実な捕獲が行える。
【００１６】
第４の考案では、くくり輪セット器にくくり輪をセットした後に、ばね収納筒のロック溝に対するロックピンの係合を解除することを特徴とする。
第４の考案では、山林のけもの道の地面に埋めたくくり輪セット器にくくり輪をセットした後に、ロック溝に対するロックピンの係合を解除するだけで、圧縮コイルばねの弾発力が付勢された移動筒がばね収納筒に対し移動可能となったくくり罠の仕掛けを完成できる。
すなわち、事前に圧縮コイルばねを圧縮しておけるため、熟練者でなくとも容易にかつ安全にくくり罠を仕掛けることができる。
【００１７】
第５の考案では、ばね収納筒の後端近傍で筒の内径方向に突出する固定ピンにより圧縮コイルばねの後端がばね収納筒に対し固定されることを特徴とする。
第５の考案では、固定ピンにより圧縮コイルばねの後端がばね収納筒に対し固定されるので、ばね収納筒に収納された圧縮コイルばね全体がばね収納筒から飛び出してしまうことがなくなる。そのため、圧縮コイルばねを圧縮して再度くくり罠を仕掛けようとする時に、圧縮コイルばねの後端をばね収納筒に再挿入するための手間がかからない。
【考案の効果】
【００１８】
本考案のくくり罠では、移動筒が、圧縮コイルばねが圧縮された状態でばね収納筒内に挿入可能なので、ばね収納筒の外径寸法が制限されない。そのため、ばね収納筒の先端の係止部の肉厚を大きくできるので、ばね収納筒の強度を向上させることができる。
また、移動筒の外径方向にロックピンが突出しており、そのロックピンがばね収納筒のロック溝に内径側から係合するようになっているので、ロック溝が形成されるばね収納筒外径寸法が制限されず、その肉厚を大きくすることができる。そのため、ばね収納筒の強度を向上させることができる。
【図面の簡単な説明】
【００１９】
【図１】本考案の実施例１に係るくくり罠の全体図である。
【図２】図１に示したくくり罠のくくり輪がくくられた状態を示す図である。
【図３】図１に示したくくり罠の圧縮コイルばねがばね収納筒内に収納された状態を示す図である。
【図４】図３に示したばね収納筒の縦断面詳細図である。
【図５】図４のＡ矢視図であって、ロック溝の形状とロックピンの動きを説明する図である。
【図６】くくり罠をしかけるためのくくり輪セット器を示す図である。
【図７】くくり輪セット器に本発明のくくり罠をセットした状態を示した図である。
【図８】本発明のくくり罠によって猪を捕獲した状態を示している。
【図９】実施例２に係るくくり罠を示す図である。
【考案を実施するための形態】
【００２０】
（実施例１）
図１は、本考案の実施例１に係るくくり罠１の全体図である。
くくりワイヤー２の先端部にはくくり輪４が形成されている。５は圧縮コイルばねであって、圧縮コイルばね５のコイル内部にくくりワイヤー２が挿通されている。６は、ばね収納筒であって、ばね収納筒６内部にくくりワイヤー２が挿通されている。圧縮コイルばね５の後端は、ばね収納筒６内部に挿入されている。
図１に示した圧縮コイルばね５は、圧縮されていない自由長の状態となっている。圧縮された際には、圧縮コイルばね５全体がばね収納筒６内部に収納される。
【００２１】
７は移動筒であって、移動筒７内部にくくりワイヤー２が挿通されている。移動筒７は、圧縮コイルばね５の先端８から付勢されることにより、くくり輪４を縮径する。
くくり輪４を形成している部分のくくりワイヤー２には、２個のワイヤー止め１０が固定されている。このワイヤー止め１０が移動筒７と接触することにより、くくり輪４の最小となる輪の大きさが決定される。
くくりワイヤー２の後端部１１には、より戻し１２が連結されている。くくりワイヤー２の後端部１１は、スリーブ１３によって小径の輪１４が形成されている。
【００２２】
１５は、ばね収納筒６とくくりワイヤー２の後端部１１との間のくくりワイヤー２に固定されているワイヤー止めである。ワイヤー止め１５は、くくりワイヤー２に対するばね収納筒６の位置を決定する目的で使用される。
１６は、係止ワイヤーであって、その両端はスリーブ１３、１３によって小径の輪１７、１８が形成されている。係止ワイヤー１６の先端部２０の輪１７は、より戻し１２に連結されている。
係止ワイヤー１６の後端部２１の輪１８には、シャックル２２が連結されている。シャックル２２は、くくり罠１を仕掛ける際に係止ワイヤー１６の後端部２１を立木などに連結するために使用される。  
【００２３】
図２は、図１に示したくくり罠１のくくり輪４がくくられた状態（縮径された状態）を示す図である。
移動筒７が圧縮コイルばね５によって付勢されており、移動筒７の先端部２３がワイヤー止め１５、１５に接触している。
図２に示したくくり輪４は最小の状態となっており、この状態で猪等の獣の足などをくくって捕獲する。
くくり輪４を形成するくくりワイヤー２の端部はスリーブ１３でくくりワイヤー２と固定されている。図２に示したくくりワイヤー２は、所定の大きさに形成されたくくり輪４を移動筒７によって絞ることによりくくり輪４の先端部を縮径するタイプのものである。このタイプのくくりワイヤーは、「ダブル」と呼ばれる。
【００２４】
なお、くくりワイヤー２の端部をくくりワイヤー２に沿って移動可能に構成して、くくりワイヤー２の端部を移動筒７によって絞ることによりくくり輪を縮径するタイプのくくりワイヤーは、「シングル」と呼ばれる。
本考案のくくり罠は、「シングル」タイプのくくり輪であっても適用可能である。
【００２５】
移動筒７には外径方向に突出するロックピン３０が設けられている。ばね収納筒６にはロックピン３０が係合するロック溝３１が設けられている。
図２に示すくくり輪４がくくられた状態では、くくりワイヤー２に沿ったばね収納筒６の移動はワイヤー止め３２によって規制されている。そのため、圧縮コイルばね５の弾発力により移動筒７が付勢されたままとなり、最小となったくくり輪４が維持される。そのため、捉えた獣の足がくくり輪４から抜け出る恐れはない。
【００２６】
図３は図１に示したくくり罠１の圧縮コイルばね５がばね収納筒６内に収納された状態を示す図である。この時、移動筒７のロックピン３０はばね収納筒６のロック溝３１と係合しており、圧縮コイルばね５はばね収納筒６内で圧縮された状態で維持されている。
図３に示すように、くくりワイヤー２のワイヤー止め３２は、ばね収納筒６から離れた場所に位置している。そのため、くくりワイヤー２はばね収納筒６内部を自由に移動可能な状態となっている。
【００２７】
図４は図３に示したばね収納筒６の縦断面詳細図である。
ばね収納筒６は、筒本体３３と筒本体３３の先端部３６の外径部に嵌め合わされた先端補強筒３４、筒本体２２の後端部３７の外径部に嵌め合わされた後端キャップ３５とから構成されている。筒本体３３、先端補強筒３４、後端キャップ３５として、塩化ビニール製パイプに用いられる各種部品が使用される。筒本体３３と先端補強筒３４、後端キャップ３５との接触部分は塩化ビニール製パイプと各種部品とを接着する接着剤により接着されている。
なお、ばね収納筒６には、塩化ビニール製パイプ以外にステンレスパイプ、アルミパイプ等の素材を使用することが可能である。
【００２８】
本考案では、圧縮コイルばね５が圧縮された状態で移動筒７がばね収納筒６内に挿入可能なので、ばね収納筒６の先端部３６外径寸法が制限されない。そのため、図４に示すようにばね収納筒６の先端部３６の係止部の肉厚を大きくできるので、ばね収納筒６の強度を向上させることができる。
【００２９】
移動筒７は移動筒本体４０、移動筒本体４０の外径部に嵌め合わされたばね受け筒４１、ばね受け筒４１の外径部に嵌め合わされた挿入位置決め筒４２とから構成されている。
移動筒本体４０、ばね受け筒４１、挿入位置決め筒４２との接触部分は接着材により相互に接着されている。本実施例では、移動筒本体４０にはステンレス製パイプが使用され、ばね受け筒４１と挿入位置決め筒４２には塩化ビニール製パイプが使われている。
なお、移動筒４０には、塩化ビニール製パイプ、ステンレスパイプ以外に、アルミパイプ等の素材を使用することが可能である。
【００３０】
図４に示すように、移動筒７のばね受け筒４１には外径方向に突出するロックピン３０が設けられている。ロックピン３０はステンレス製あるいは鉄製の小径の丸棒が用いられており、ばね受け筒４１に明けられた穴に嵌入され接着固定されている。
このように、移動筒７の外径方向にロックピン３０が突出しており、そのロックピン３０がばね収納筒６のロック溝に係合するようになっているので、ばね収納筒６の先端部３６の外径寸法が制限されず、その肉厚を大きくすることができる。そのため、ばね収納筒６の強度を向上させることができる。
【００３１】
図４に示すように、後端キャップ３５には、筒の内径方向に突出する固定ピン４２が設けられている。この固定ピン４２により圧縮コイルばね５の後端部４３がばね収納筒６の後端部３７に対し固定されている。
それにより、ばね収納筒６に収納された圧縮コイルばね全体５がばね収納筒６から飛び出してしまうことがなくなる。そのため、圧縮コイルばね５を圧縮してくくり罠を仕掛けようとする時に、圧縮コイルばね５の後端部４３をばね収納筒６に再度挿入する必要がなくなる。
なお、１３はくくりワイヤー２の先端部のくくり輪（ダブル型）を形成するため、くくり輪２の途中部分と端部とを固定するスリーブである。
【００３２】
図５は図４のＡ矢視図であって、ロック溝３１の形状とロックピン３０の動きを説明する図である。
ばね収納筒６のロック溝３１は、ばね収納筒６の先端４４から筒の長手方向に形成された長手方向溝４５と、長手方向溝４５の略中央部から筒の円周方向に形成された円周方向溝４６とから形成されている。
ロックピン３０がロック溝３１に係合させる過程は以下の通りである。
【００３３】
まず、ロックピン３０は矢印５０の方向にロック溝３１の入り口部４７から長手方向溝４５に入る。
ロックピン３０は矢印５１の方向に長手方向溝４５内を最奥部４８まで移動する。このとき、ロックピン３０は円周方向溝４６の位置を通過する。
その後、ロックピン３０は長手方向溝４５内を後戻りした後、矢印５２の方向に円周方向溝４６内に入る。
ロックピン３０は圧縮コイルばね５の弾発力により円周方向溝４６の内壁５３に押し付けられることで、ロック溝３１に係合する。
【００３４】
このように、ロックピン３０が長手方向溝４５全長に沿って移動したのち、ロックピン３０が長手方向溝４５の略中央部に形成された円周方向溝４６と係合するので、圧縮コイルばね５が長手方向溝４５の長さで決まる所定寸法だけ圧縮される状態が一度作られる。その圧縮動作によって、長期間の使用により発生する圧縮コイルばね５の変形などが矯正される。それにより圧縮コイルばね５の弾発力が維持されるのでくくり罠１による確実な捕獲が行える。
【００３５】
図６は、鹿や猪等の獣が生息する山野のけもの道でくくり罠１をしかけるためのくくり輪セット器５４を示す図である。
くくり輪セット器５４は、くくり輪がセットされるセット部材５６とセット部材５６が収納される収納枠５５とから構成される。
図６に示すように収納枠５５は、上方が開口した長方形の箱であって、中央部にはガイドピン５７が立設されている。
【００３６】
セット部材５６は、図６に示すように、収納枠５５内に収納される踏板５８と、踏板５８の中央部に一対配置された連結部６０に回動可能に連結された可動環６１とから構成されている。
図６に示すように、可動環６１は、全体が略コ字状でそのコーナー部は大きなＲ形状となっている２つのコ字状部材が、その開口部が向き合う形状で構成されている。可動環６１を形成するコ字状部材の長辺部６２は収納枠５５の短辺７０よりもやや短く、可動環６１を形成するコ字状部材の短辺部６３は収納枠５５の長辺７１の半分よりもやや長くなっている。
そのため、セット部材５６の踏板５８が収納枠５５に収納された状態では、可動環６１を形成するコ字状部材の長辺部６２が収納枠５５の短辺７０よりも外側上方に飛び出た状態となっている。
【００３７】
可動環６１を形成するコ字状部材の長辺部６２と短辺部６３の長手方向に直交する断面は外側に開いた円弧形状となっている。そして、その同一の断面がコ字状部材の長辺部６２と短辺部６３の長手方向に向かって連続している。そのため、くくり輪４を形成する部分のくくりワイヤー２を可動環６１の外側に沿わして配置することが可能となっている。
図６に示すように、踏板５８の中心部には穴７２が明けられており、収納枠５５に立設されたガイドピン５７が穴７２を貫通している。
踏板５８が収納枠５５内を上下する際には、ガイドピン５７によって踏板５８がガイドされる。
くくり輪セット器５４を構成する部材には、ステンレス、鉄、プラスチックを使用することが可能である。
【００３８】
図７は上述したくくり輪セット器５４に本考案のくくり罠１をセットした状態を示している。
くくり輪セット器５４に図３に示した圧縮コイルばね５がばね収納筒６内に収納された状態のくくり罠１をセットする手順は以下の通りである。
まず、図６に示すくくり輪セット器５４の踏板５８を上方に持ち上げ、図７に示すように、可動環６１の左右のコ字状部材の長辺部６２が中央の連結部６０に対し下方に位置する姿勢とする。このとき、可動環６１により形作られる四辺形は、中央部（連結部６０）が上方に向け凸となっている。
【００３９】
この状態の可動環６１の外周に、図３に示したくくり罠１のくくり輪４を沿わせる。そして、移動筒７のロックピン３０とばね収納筒６のロック溝３１との係止を解除する。
移動筒７はバネ収納筒６内の圧縮コイルばね５によって、くくり輪４を縮径する（くくる）方向に付勢されているので、少しくくり輪セット器５４の方向に移動し、図７に示した状態で停止する。
図７に示した状態のくくり輪セット器５４とくくり罠１を、山野のけもの道にしかける。その際、周囲の樹木の根本等にシャックル２２を用いて係止ワイヤー１６を係止しておく。
【００４０】
このように、くくり輪セット器５４にくくり輪４をセットした後に、ロック溝３１に対するロックピン３０の係合を解除することでくくり罠１の仕掛けを完成できる。
すなわち、事前に圧縮コイルばね５を圧縮しておき、次の手順でくくり罠１をくくり輪セット器５４にセットできるので、熟練者でなくとも容易にかつ安全にくくり罠１を仕掛けることができる。
【００４１】
図８は本発明のくくり罠１によって猪８０を捕獲した状態を示している。
けもの道を歩いてきた猪８０がくくり輪セット器５４の踏板５８を踏むと、踏板５８が収納枠５５内を下降すると同時に可動環６１の一対のコ字状部材が上方に跳ね上がる。
強力な圧縮コイルばね５によって付勢された移動筒７によりくくり輪４が急速に縮径され、猪８０の足８１をくくって捉える。
くくり罠１にかかった猪８０は逃げようと暴れるが、強力な圧縮コイルばね５が作用してくくり輪４を縮径し続けるので猪８０は逃走できない。
【００４２】
猪８０が暴れまわる際にばね収納筒６が周囲の石等に衝突したり、猪８０が牙でばね収納筒６を噛んだりする。しかし、本考案のばね収納筒６はロック溝３１が設けられている先端部の肉厚が十分となるよう構成され十分な強度を持っているので破損する恐れはない。
【００４３】
（実施例２）
図９は実施例２に係るくくり罠９０を示している。図１に示す実施例１に係るくくり罠１とは、移動筒９１の構成のみ異なっている。
実施例１に係る移動筒７では、圧縮コイルばね５の内径内に移動筒本体４０が位置していたのに対し、実施例２に係る移動筒９１では、移動筒本体９２の内径内に圧縮コイルばね５が位置している。
そして、移動筒本体９２の先端部の外周には先端部補強筒９４が嵌入されている。先端部補強筒９４に近い部分の移動筒本体９２には、筒の外径方向に突出してロックピン９３が設けられている。
【００４４】
図９に示すくくり罠９０もばね収納筒６内に圧縮された圧縮コイルばね５を収納した状態で、移動筒９１の移動筒本体９２をばね収納筒６内に挿入可能である。
くくり罠９０の他の構成は、図１に示したくくり罠１と共通するので説明を省略する。
図９に示す実施例２に係るくくり罠９０も実施例１に係るくくり罠１と同じ作用、効果を奏する。
【符号の説明】
【００４５】
１：くくり罠
２：くくりワイヤー
４：くくり輪
５：圧縮コイルばね
６：ばね収納筒
７：移動筒
３０：ロックピン
３１：ロック溝
４５：長手方向溝
４６：円周方向溝
５４：くくり輪セット器
９０：くくり罠
９１：移動筒
９３：ロックピン
【図１】
0003210767.tif 000003
【図２】
0003210767.tif 000004
【図３】
0003210767.tif 000005
【図４】
0003210767.tif 000006
【図５】
0003210767.tif 000007
【図６】
0003210767.tif 000008
【図７】
0003210767.tif 000009
【図８】
0003210767.tif 000010
【図９】
0003210767.tif 000011